(57)【特許請求の範囲】
【請求項１】
被検体を載置するベッドに取り付けられる上肢固定具において、頭部を載せる支持部と、両手甲を支える部材と、両手甲を支える部材の上方に設けられた握り棒とを有し、前記握り棒は、左右の手でそれぞれ握られる２つの部分を頭部側に向けて傾きをもつことを特徴とする上肢固定具。
【発明の詳細な説明】
【０００１】
【発明の属する技術分野】
本発明は、Ｘ線ＣＴ装置やアイソトープを用いて断層撮影を行うＥＣＴ装置等の胸腹部検査時の補助具として利用される上肢固定具に関する。
【０００２】
【従来の技術】
Ｘ線ＣＴ装置やＲＩ装置で胸腹部の断層像を得ようとする場合には、図４に示すように診察用ベッド４４上の天板４２に載せた被検者４５をガントリ４１の中央部に形成されたガントリ穴４３に送り込み、Ｘ線やアイソトープを利用して人体内の胸腹部の断層像を写し出し診断する。
【０００３】
このとき、アーチファクト防止のため、上肢を挙上した体位で検査を行う必要がある。しかし、検査後に上肢のしびれ、肩痛等の苦痛を訴える者も少なくないので、これら苦痛軽減のために、頭上部にまくら、スポンジ等で上肢を高くして検査を行っていたが、効果は十分でなかった。
【０００４】
そこで、従来ベッドに上肢の支持台を取り付けるようし、腕を直角に預けるようにした補助具が用いられていた。
【０００５】
また、図５のようにベッドに取り付けられた上肢固定台５０の上に被検者５１の頭を乗せ、さらに手を頭の後で組んだ状態で、腕固定ベルト５２を上肢固定台の穴を通して両腕を固定していた。
【０００６】
【発明が解決しようとする課題】
しかし、上記従来技術の単に直角に両腕を預けるようにしたものや、図５による固定具の場合には、握り棒及び両手甲を支える部分がないため、上肢が不安定であり、被検者に疲れや苦痛を与えるとともに不安感を抱かさせていた。
【０００７】
本発明は、上記課題を解決するために創案されたもので、被検者に疲れや苦痛を与えず、安心感を起こさせるような上肢固定具を提供するものである。
【０００８】
【課題を解決するための手段】
上記目的を達成するために、本発明の上肢固定具は、被検体を載置するベッドに取り付けられる上肢固定具において、頭部を載せる支持部と、両手甲を支える部材と、両手甲を支える部材の上方に設けられた握り棒とを有し、前記握り棒は、左右の手でそれぞれ握られる２つの部分を頭部側に向けて傾きをもつことを特徴としている。
【０００９】
本発明の上肢固定具は上記のように構成されているので、両手甲を支えることができるために上肢の疲れを防止することができる。また、握り棒を使用することにより手首が安定し、被検者が安心感を覚える。特に、握り棒に被検者の頭部側に若干の傾きを持たせているので、握り棒が握りやすくなる。
【００１０】
【発明の実施の形態】
本発明の一実施例を、以下、図面に基づいて説明する。
【００１１】
図１は本発明による上肢固定具の構成を示し、（ａ）は正面図を、（ｂ）、（ｃ）は異なる方向からの側面図を示す。
【００１２】
１はベッド天板、２は固定具本体、３は固定具本体２をベッド天板１に取り付けるための取り付け具、４は頭部クッション、５は肘受部、６は肘部クッション、７は手甲支持部、８は手甲部クッション、９は握り棒、１０は握り棒取り付け金具である。
【００１３】
肘受部５が形成されている固定具本体２の水平部分には被検体の頭部を載置したときの衝撃を和らげ、長時間固定の痛みを防止するために、頭部クッション４が取り付けられ、肘受部５には肘部を長時間拘束する際に痛みを感じないように肘部クッション６が取り付けられている。
【００１４】
また、固定具本体２の先端はＬ字型に湾曲して手甲支持部７を形成し、被検体の両手の甲が預けられるようになっており、その部分には手甲に痛みを感じさせないように手甲部クッション８が取り付けられている。
【００１５】
手甲支持部７には握り棒取付金具を介して握り棒９が取り付けられており、被検体の両手甲が手甲部クッション８の上に預けられた場合に丁度握り棒９を握れるような高さに設定され、握り棒９は握り棒取り付け金具１０を中心として左右とも内側（天板１側）に若干の傾きを持たせるようにしている。
【００１６】
次にこの上肢固定具の使用方法について述べる。
【００１７】
ベッド天板１に取り付け具３を用いて固定具本体２を取り付ける。被検者をベッド天板１の上に仰向けに載せて、その頭部を固定具本体２の頭部クッション４に預けるようにする。
【００１８】
次に腕を伸ばして両手甲部を手甲部クッション８の上に載せて握り棒９を両手で握るようにし、両腕を肘受部５の内側に入れるようにして、肘部クッション６に肘部分を押し付けるようにする。
【００１９】
このようにして、被検者の上肢が固定された状態を図２に示す。
【００２０】
次に、図２の状態からベッド天板１が水平方向に移動して、図４に示すような装置のガントリ内に被検者が送り込まれて、胸腹部等の検査が実施される。
【００２１】
このガントリ内部での被検者の拘束状態を示したのが、図３であり、（ａ）は正面図を、（ｂ）は側面図を示す。
【００２２】
この図からもわかるように肘受部５の内側に両腕を入れ、拘束されている状態でガントリ内部へ送られるのでガントリ開口部を通過する時、開口部カバーに接触する心配がない。
【００２３】
また、両腕の肘部が支えられているため肩部と肘部が疲れず、手の甲が下から支えられるため、上肢が疲れない。握り棒は被検者の手首を安定させるので、被検者は安心感を覚える。特に本実施例では、握り棒に被検者の頭部側に若干の傾きを持たせているので、握り棒が握りやすいという効果がある。
【００２４】
上述の実施例では肘受部５の内側に両腕を入れ、肘部クッション６に肘部分を押し付けて固定しているだけであるが、この肘部をベルトで肘受部５に縛り付けるようにしても良い。
【００２５】
また、被検者の大きさによっては、胸部撮影の場合に肘受部５で放射線の吸収を生じ、アーチファクト発生の原因となるので、この左右の肘受部をなくして、頭部の支持部と手甲の支持部と握り棒の部分だけにしても良い。
【００２６】
この場合でも、手の甲が下から支えられるため、上肢が疲れず、握り棒は被検者の手首を安定させるので、被検者は安心感を覚えることになり、その効果は大きい。
【００２７】
なお、握り棒をリング形状にし、被検者が握ることができる範囲を拡大するようにしても良い。
【００２８】
【発明の効果】
以上説明したように、本発明によれば、手甲や肘部を支える部分を有し、手甲支持部の上方には握り棒を有するようにしているので、両手首が安定し、被検者が安心感を覚え、疲れや苦痛等も発生を防止することができ、肘部の位置が定まるのでガントリ通過時に肘部が接触する心配がない。また、構造が単純で安価に製作することができる。
【図面の簡単な説明】
【図１】本発明の上肢固定具の構成を示す図である。
【図２】本発明の上肢固定具を被検者に用いた例を示す図である。
【図３】本発明の上肢固定具を被検者に用いた場合のガントリ内での状態を示す図である。
【図４】一般の断層撮影装置の概観を示す図である。
【図５】従来の上肢固定具を示す図である。
【図１】
0003601192.tif 000002
【図２】
0003601192.tif 000003
【図３】
0003601192.tif 000004
【図４】
0003601192.tif 000005
【図５】
0003601192.tif 000006